(57)【要約】【課題】従来のパネルの下方から吸引して清浄化した空気を上方に排出するものであるため、煙草の煙のように上方に流れるものの場合には、煙を吸引することができず却って煙を室内に拡散するような作用となって煙や臭気を除去することが不可能である。【解決手段】横方向に２つの部屋１１，１２に分割され、かつ、２つの部屋は下部において連結されると共に、第１の部屋内には煙草の煙および臭気を除去するための清浄手段２が内蔵され、第２の部屋には、煙草の煙を前記第１の部屋の吸引口から吸引させると共に第２の部屋の上面から煙および臭気を除去した空気を排出口から排出するための送風機３を内蔵した間仕切り板である。【選択図】        図１
2004340502.tif 000002
【特許請求の範囲】
【請求項１】
横方向に２つの部屋に分割され、かつ、２つの部屋は下部において連結されると共に、第１の部屋内には煙草の煙および臭気を除去するための清浄手段が内蔵され、第２の部屋には、煙草の煙を前記第１の部屋の吸引口から吸引させると共に第２の部屋の上面から煙および臭気を除去した空気を排出口から排出するための送風機を内蔵したことを特徴とする間仕切り板。
【請求項２】
前記清浄手段は、少なくとも前記開口部から下方に垂れ下がり再び開口部まで達するＶ字状に形成され、かつ、前記パネルの横方向の幅一杯の幅に形成されているバグフィルタから構成されていることを特徴とする請求項１に記載の間仕切り。
【請求項３】
横方向に２つの部屋に分割され、かつ、２つの部屋は下部において連結されると共に、第１の部屋内には煙草の煙および臭気を除去するための清浄手段が内蔵され、第２の部屋には、煙草の煙を前記第１の部屋の吸引口から吸引させると共に第２の部屋の上部から煙および臭気を除去した空気を排出するための送風機を内蔵した間仕切り板を、所望の間隔を隔てて配置すると共に、１つの間仕切り板の排出口と他の間仕切り板の吸引口とが対向するように配置して、間仕切り板間の上方において渦流を生成して煙草の煙が吸引口から強制的に吸引されるようにしたことを特徴とする間仕切りを用いた空気清浄方法。
【請求項４】
前記排出口には斜め上方に空気を排出するようにフィンが形成され、該排出口からの空気を対向する吸引口に向けて排出するようにしたことを特徴とする請求項３記載の間仕切りを用いた空気清浄方法。
【発明の詳細な説明】
【０００１】
【発明の属する技術分野】
本発明は、煙草の煙を吸引して煙および臭気を浄化するための清浄手段を組み込んだ間仕切り板および該間仕切り板を対向して配置して、該対向して配置された空間内の空気を強制的に清浄化するようにした空気清浄方法に関する。
【０００２】
【従来の技術】
従来より空気清浄機をパネル等の仕切り板に組み込んだものは公知である。例えば、特開平１１−１５９０３４号（公知例１）、特開２０００−１８６６２（公知例２）があり、公知例１のものは、パネルの下方から吸引して清浄化した空気を上方に排出するものであり、公知例２のものは、パネルの上方から吸引して清浄化した空気を下方から排出するものである。
【０００３】
【特許文献】
特開平１１−１５９０３４
特開２０００−１８６６２
【０００４】
【発明が解決しようとする課題】
ところで、前記した公知例１にあっては、パネルの下方から吸引して清浄化した空気を上方に排出するものであるため、煙草の煙のように上方に流れるものの場合には、煙を吸引することができず却って煙を室内に拡散するような作用となって煙や臭気を除去することが不可能である。また、公知例２にあっては、パネルの上方から吸引して清浄化するものであるので、煙草の煙を吸引して清浄化することは可能であるが、排出口が下方に設けられているので十分に清浄化できなかった煙や臭気は再び上方に戻ってきて不快なものであった。
【０００５】
本発明は前記した問題点を解決せんとするもので、その目的とするところは、煙草の煙を上方から吸引して上方に排出するようにしたので、煙や臭気が喫煙者の元に戻ることが少なく、かつ、所望の間隔を隔てて対向することで、仕切り板間の上部に渦流が発生して立ちのぼる煙の殆どが外方に排出されることがなくなる間仕切りおよび該間仕切りを用いた空気清浄方法を提供せんとするにある。
【０００６】
【課題を解決するための手段】
本発明の間仕切り板は前記した目的を達成せんとするもので、その手段は、横方向に２つの部屋に分割され、かつ、２つの部屋は下部において連結されると共に、第１の部屋内には煙草の煙および臭気を除去するための清浄手段が内蔵され、第２の部屋には、煙草の煙を前記第１の部屋の吸引口から吸引させると共に第２の部屋の上面から煙および臭気を除去した空気を排出口から排出するための送風機を内蔵したものである。
【０００７】
また、前記清浄手段は、少なくとも前記開口部から下方に垂れ下がり再び開口部まで達するＶ字状に形成され、かつ、前記パネルの横方向の幅一杯の幅に形成されているバグフィルタから構成されているものである。
【０００８】
本発明の間仕切りを用いた空気清浄方法に係る手段は、横方向に２つの部屋に分割され、かつ、２つの部屋は下部において連結されると共に、第１の部屋内には煙草の煙および臭気を除去するための清浄手段が内蔵され、第２の部屋には、煙草の煙を前記第１の部屋の吸引口から吸引させると共に第２の部屋の上部から煙および臭気を除去した空気を排出するための送風機を内蔵した間仕切り板を、所望の間隔を隔てて配置すると共に、１つの間仕切り板の排出口と他の間仕切り板の吸引口とが対向するように配置して、間仕切り板間の上方において渦流を生成して煙草の煙が吸引口から強制的に吸引されるようにしたことを特徴とする。
【０００９】
また、前記排出口には斜め上方に空気を排出するようにフィンが形成され、該排出口からの空気を対向する吸引口に向けて排出するようにしたことを特徴とする。
【００１０】
【発明の実施の形態】
以下、本発明に係る間仕切り板の実施の形態を図１、図２と共に説明する。
１は上面が開放された吸気口１１ａが形成された第１の部屋１１と、該第１の部屋１１と下部において空気の流通が可能なように側面どうしで連結され、かつ、上面が開放された排出口１２ａが形成された第２の部屋１２とからなる間仕切り板にして、第１の部屋１１内には幅方向一杯にＶ字状に取付けられたバグフィルタ２が収容されている。
【００１１】
また、図２に示すように、第１の部屋１１の正面あるいは裏面の何れかには上方が開閉自在に形成された蓋板１１ｂが取付けられており、該蓋板１１ｂを開放することにより、前記バグフィルタ２の交換が可能なように構成されている。
【００１２】
なお、前記したバグフィルタ２はＶ字状に収容されている場合を示しているが、該バグフィルタ２はＷ状に収容して集塵面積を大きくしてもよく、また、図示していないが第１の部屋１１内に静電型清浄手段を組み込んで、より脱臭力の効率を図ることが望ましい。
【００１３】
前記した第２の部屋１２内には第１の部屋１１内を負圧状態にすると共に、第１の部屋１１から吸引した空気を排出口１２ａから排出するためのシロッコファンである送風機３が内蔵されている。
【００１４】
なお、第１および第２の部屋を構成する少なくとも面積の大きい側の外板を、送風機３の回転時において振動して騒音を発生しないように、制振鋼板を使用することが望ましい。
【００１５】
このように構成した本発明の間仕切り板１にあっては、送風機３を駆動すると第１の部屋１１内が負圧状態となるので、上空に漂っている煙草の煙は吸引口１１ａから第１の部屋１１内に導入され、バグフィルタ２や図示しない静電型清浄手段を通過して煙や臭気が除去された状態で第１の部屋１１の下部から第２の部屋１２内に至る。
【００１６】
この第２の部屋１２内の送風機３は第１の部屋１１から吸引した清浄化された空気を第２の部屋１２の排気口１２ａを介して空気中に排出するので、間仕切り板１が設置されている部屋の空気を汚染することが少なくなると共に、排気口１２ａから排出された空気の一部は再び吸引口１１ａから吸引されるので、より室内の空気は清浄化されることとなる。
【００１７】
次に、会社等のロビーや応接室に設置された面会ブースに前記した間仕切り１を用いた空気清浄方法について図３、図４と共に説明する。
この実施の場合には、前記した間仕切り１を応接セット４を挟んで一対互い違いに配置する。すなわち、１つの間仕切り１を図４に示す如く第１の部屋１１が上側に位置している場合には、応接セット４を挟んだ反対側の間仕切り１を第２の部屋１２が上側に位置するように配置する。
【００１８】
このように一対の間仕切り１を互い違いに応接セットを挟んで配置した場合には、一方の間仕切り１の排出口１２ａより排出された清浄化された空気は、他方の間仕切り１の吸入口１１ａより吸入されることとなるので、一対の間仕切り１の上方には点線で示すような渦流が発生し、従って、応接セット４で喫煙している煙草の煙は、前記渦流によって何れかの吸引口１２より吸引される。
【００１９】
これにより、一対の間仕切り板１間の上方にはエアーカーテンが形成された同様な効果が得られ、応接セット４で喫煙された煙は外方に漏れ出ることが少なくなり、ロビーや応接室全体に煙が充満することが少なくなるものである。
【００２０】
図５、図６は前記した応接セット４を縦列的に配置した場合を示したものであるが、この実施の形態にあっては、前記したと同様に一対の間仕切り板１を互い違いに配置することは勿論のこと、応接セット４が隣接する間仕切りの部分には集塵の効率化を図るために、２つの間仕切り１を重ねた状態で配置すると共に、第２の部屋１２の排出口１２ａに斜め上方に空気を排出するためのフィン１２ｂを取付けたものである。なお、５はロビーや応接室の壁面である。
【００２１】
このように構成することで、排出口１２ａよりの清浄化された排出空気はフィン１２ｂによって斜め上方に排出され吸引口１１側に向かって流れるので、排出された清浄化された排出空気は吸引口１１により多く吸引されることとなり、従って、渦流が顕著に発生して応接セット４で喫煙された煙草の煙は、確実に吸引口１１に吸引され、外部に流れ出るのを防止できることとなる。
【００２２】
なお、前記した実施の形態は面会ブースに間仕切り板１を互い違いに配置した場合について説明したが、事務机を縦列的に配置し、かつ、各事務机の前に間仕切り板１を配置したような場合にも、本発明の間仕切り板１を事務机を挟んで互い違いに配置することで、前記したと同様な作用効果が得られるものである。
【００２３】
【発明の効果】
本発明は前記したように、横方向に２つの部屋に分割され、かつ、２つの部屋は下部において連結されると共に、第１の部屋内には煙草の煙および臭気を除去するための清浄手段が内蔵され、第２の部屋には、煙草の煙を前記第１の部屋の吸引口から吸引させると共に第２の部屋の上面から煙および臭気を除去した空気を排出口から排出するための送風機を内蔵したことにより、煙草の煙を上方から吸引して上方に排出して煙や臭気が喫煙者の元に戻ることが少なくなるものである。
【００２４】
また、清浄手段は、少なくとも前記開口部から下方に垂れ下がり再び開口部まで達するＶ字状に形成され、かつ、前記パネルの横方向の幅一杯の幅に形成されているバグフィルタから構成されているので、フィルタとして大面積なものとなることから、空気清浄化が良好に行われるものである。
【００２５】
さらに、前記した構成の間仕切り板を所望の間隔を隔てて配置すると共に、１つの間仕切り板の排出口と他の間仕切り板の吸引口とが対向するように配置したので、一対の間仕切りの上方に渦流が発生して煙草の煙を確実に吸引口側で吸引することから、外部への煙の漏れを少なくして部屋全体の清浄化を図ることができるものである。
【００２６】
また、前記排出口には斜め上方に空気を排出するようにフィンが形成され、該排出口からの空気を対向する吸引口に向けて排出するようにしたので、排出口からの煙はより多く吸引口から吸引されることとなり、より室内の清浄化を図ることができる等の効果を有するものである。
【図面の簡単な説明】
【図１】本発明の間仕切り板の正面図である。
【図２】（ａ）は同上のＡ−Ａ線断面図、（ｂ）は蓋板を開放した状態の断面図である。
【図３】同上の間仕切りを用いた空気清浄方法を実施した側面図である。
【図４】同上の平面図である。
【図５】他の実施の形態の側面図である。
【図６】同上の平面図である。
【符号の説明】
１          間仕切り板
１１        第１の部屋
１１ａ      吸引口
１１ｂ      蓋板
１２        第２の部屋
１２ａ      排出口
１２ｂ      フィン
２          バグフィルタ
３          送風機
【図１】
2004340502.tif 000003
【図２】
2004340502.tif 000004
【図３】
2004340502.tif 000005
【図４】
2004340502.tif 000006
【図５】
2004340502.tif 000007
【図６】
2004340502.tif 000008